(57)【要約】【課題】画像毎にセキュリティ処理を行なった画像データを配信する表示装置を提供する。【解決手段】画像データを記憶する画像記憶部１４と、前記画像記憶部に記憶されている前記画像データに基づく画像を表示する表示部１８と、前記表示部に表示させた前記画像に対して画像認識を行なう認識部１０と、前記認識部による認識結果に基づいて前記画像の前記画像データに対してセキュリティ処理を施すセキュリティ処理部１０と、前記セキュリティ処理部により前記セキュリティ処理が施された前記画像データを受信端末に対して配信する配信部２０とを備える。【選択図】  図２
2013190610.tif 000002
【特許請求の範囲】
【請求項１】
画像データを記憶する画像記憶部と、
前記画像記憶部に記憶されている前記画像データに基づく画像を表示する表示部と、
前記表示部に表示させた前記画像に対して画像認識を行なう認識部と、
前記認識部による認識結果に基づいて前記画像の前記画像データに対してセキュリティ処理を施すセキュリティ処理部と、
前記セキュリティ処理部により前記セキュリティ処理が施された前記画像データを受信端末に対して配信する配信部と
を備えることを特徴とする表示装置。
【請求項２】
前記認識部は、前記画像に付加されている画像コードを認識し、
前記セキュリティ処理部は、前記画像コードに含まれる設定内容に基づいて前記画像の画像データに対して前記セキュリティ処理を施すことを特徴とする請求項１に記載の表示装置。
【請求項３】
前記セキュリティ処理部は、セキュリティレベル毎に定められた少なくとも１つのセキュリティコードを用いて、前記画像データに対してセキュリティレベル毎にセキュリティ処理を施すことを特徴とする請求項２に記載の表示装置。
【請求項４】
前記認識部は、前記画像に含まれる画像パターンを認識し、
前記セキュリティ処理部は、前記画像パターン毎に予め定められている設定内容に基づいて、前記画像の画像データに対して前記セキュリティ処理を施すことを特徴とする請求項１に記載の表示装置。
【請求項５】
前記画像パターン毎に定められている前記設定内容は、変更可能であることを特徴とする請求項４に記載の表示装置。
【請求項６】
前記設定内容は、表示品質の情報、表示期間の情報、保存許可の情報及び再配布回数の情報の中の少なくとも一つの情報を含むことを特徴とする請求項２〜請求項５の何れか一項に記載の表示装置。
【請求項７】
前記配信部は、一定期間が経過する毎に前記画像データを配信することを特徴とする請求項１〜請求項６の何れか一項に記載の表示装置。
【請求項８】
前記配信部は、前記表示部により表示される画像が切り替えられる毎に、前記画像データを配信することを特徴とする請求項１〜請求項６の何れか一項に記載の表示装置。
【請求項９】
画像データを記憶する画像記憶部と、
前記画像記憶部に記憶されている前記画像データに基づく画像を表示する表示部と、
前記表示部に表示させた前記画像に対して画像認識を行なう認識部と、
前記認識部による認識結果に基づいて前記画像の前記画像データに対してセキュリティ処理を施すセキュリティ処理部と、
前記セキュリティ処理部により前記セキュリティ処理が施された前記画像データを受信端末に対して配信する配信部とを有する表示装置と、
前記画像データを受信する端末受信部と、
前記端末受信部により受信した前記画像データに基づいて表示画像を生成するためのセキュリティコードの入力を受け付ける端末入力部と、
前記セキュリティコードを用いて前記画像データから前記表示画像を生成する画像生成部と、
前記画像生成部により生成された前記表示画像を表示する端末表示部とを有する受信端末と
を備えることを特徴とする配信システム。
【発明の詳細な説明】
【技術分野】
【０００１】
本発明は、表示装置及び配信システムに関するものである。
【背景技術】
【０００２】
従来、プレゼンテーションにおいて、スクリーンに画像を投影している際に、投影している画像の画像データを聴講者の受信端末に配信することにより、投影している画像と同様の画像を受信端末に表示させる表示装置が知られている（例えば、特許文献１参照）。
【先行技術文献】
【特許文献】
【０００３】
【特許文献１】特許第４７６６１０８号公報
【発明の概要】
【発明が解決しようとする課題】
【０００４】
しかしながら、上述した特許文献１に記載の表示装置においては、受信端末に配信する画像データにセキュリティ処理を行なうことができなかった。
【０００５】
本発明の目的は、画像毎にセキュリティ処理を行なった画像データを配信する表示装置及び配信システムを提供することである。
【課題を解決するための手段】
【０００６】
本発明の表示装置は、画像データを記憶する画像記憶部と、前記画像記憶部に記憶されている前記画像データに基づく画像を表示する表示部と、前記表示部に表示させた前記画像に対して画像認識を行なう認識部と、前記認識部による認識結果に基づいて前記画像の前記画像データに対してセキュリティ処理を施すセキュリティ処理部と、前記セキュリティ処理部により前記セキュリティ処理が施された前記画像データを受信端末に対して配信する配信部とを備えることを特徴とする。
【０００７】
また、本発明の配信システムは、画像データを記憶する画像記憶部と、前記画像記憶部に記憶されている前記画像データに基づく画像を表示する表示部と、前記表示部に表示させた前記画像に対して画像認識を行なう認識部と、前記認識部による認識結果に基づいて前記画像の前記画像データに対してセキュリティ処理を施すセキュリティ処理部と、前記セキュリティ処理部により前記セキュリティ処理が施された前記画像データを受信端末に対して配信する配信部とを有する表示装置と、前記画像データを受信する端末受信部と、前記端末受信部により受信した前記画像データに基づいて表示画像を生成するためのセキュリティコードの入力を受け付ける端末入力部と、前記セキュリティコードを用いて前記画像データから前記表示画像を生成する画像生成部と、前記画像生成部により生成された前記表示画像を表示する端末表示部とを有する受信端末とを備えることを特徴とする。
【発明の効果】
【０００８】
本発明によれば、画像毎にセキュリティ処理を行なった画像データを配信することができる。
【図面の簡単な説明】
【０００９】
【図１】実施の形態に係る配信システムの構成を示す図である。
【図２】実施の形態に係るプロジェクタの構成を示すブロック図である。
【図３】実施の形態に係る受信端末を示す図である。
【図４】実施の形態に係る画像コード生成画面を示す図である。
【図５】画像コードを貼り付けた画像を示す図である。
【図６】実施の形態に係るプロジェクタによる画像データ配信処理を示すフローチャートである。
【図７】聴講者の権限に応じた配信画像データの取り扱い例を示す図である。
【図８】配信画像データの配信例を示す図である。
【図９】誤認識防止用のパターン内に画像コードを貼り付けた状態を示す図である。
【図１０】聴講者が別の会場へ移動した場合を示す図である。
【発明を実施するための形態】
【００１０】
以下、図面を参照して、本発明の実施の形態に係る配信システムについて説明する。図１は実施の形態に係る配信システムの構成を示す図である。配信システム２は、出力装置４と、表示装置としてのプロジェクタ６と、受信端末８により構成されている。出力装置４は、ＨＤＭＩ、ＤＶＩ等の規格に準じた画像データやＲＧＢ画像データの生成、後述する画像コードの生成を行なうパーソナルコンピュータ等により構成される。また出力装置４はＬＡＮ等を介してプロジェクタ６と通信可能に接続され、画像データや画像コードをプロジェクタ６に出力する。
【００１１】
図２は実施の形態に係るプロジェクタの構成を示すブロック図である。プロジェクタ６は、マイクロプロセッサ等により構成されプロジェクタ６の各部を統括的に制御する制御部１０を備えている。制御部１０には、接続部１２、画像メモリ１４、データメモリ１６、投影部１８、配信部２０、操作部２２が接続されている。また制御部１０には、プロジェクタ６の識別子となる装置固有番号を記憶する不図示の記憶部が接続されている。
【００１２】
接続部１２は、ＬＡＮ等を介して出力装置４と通信可能に接続され、出力装置４から画像コードが貼り付けられた画像の画像データを受信する。画像メモリ１４は、投影する画像の画像データを投影順を示す情報等に関連付けて記憶する。データメモリ１６は、画像データにセキュリティ処理を施した配信用画像データを記憶する。投影部１８は、画像メモリ１４に記憶されている画像データに基づく画像を不図示のスクリーン上に投影して表示する。配信部２０は、Ｂｌｕｅｔｏｏｔｈ（登録商標）や無線ＬＡＮ等を使ったブロードキャスト方式により配信用画像データを受信端末８に配信する。操作部２２は投影部１８により投影する画像の切替え操作等を行なうための操作キーを備えている。
【００１３】
図３は実施の形態に係る受信端末を示す図である。受信端末８は、スマートフォン、タブレットＰＣ、ＰＤＡ等の端末装置により構成される。受信端末８は、プロジェクタ６から受信した配信用画像データに基づいた画像を表示するための表示画面２４を備えている。表示画面２４にはタッチパネル２６が設けられており、受信端末８はタッチパネル２６を介した操作に従って表示している画像の拡大、縮小等を行なう。
【００１４】
次に出力装置４による画像コードの生成について説明する。図４は実施の形態に係る画像コード生成画面を示す図である。出力装置４において画像コードの生成を指示する入力操作がなされた場合、モニターに図４に示す画像コード生成画面が表示される。ここで画像コード生成画面には、プロジェクタ６から配信される配信画像データに施されるセキュリティ処理の内容を示す設定情報の入力欄、設定情報の入力内容を有効にするためのチェックボックス及びセキュリティ処理の情報を含んだ画像コードの生成を指示する画像コード生成ボタンが含まれている。
【００１５】
設定情報は、認証コード、配信品質、表示許可期間、保存の許可、再配布制限によって構成され聴講者の権限等に基づいてその内容が異なり、権限の大きさによって差別化されている。
【００１６】
認証コードは、セキュリティコードとして扱われる数字や文字を組み合わせたコードである。配信品質は、配信画像データに基づく画像が受信端末８においてどのような画質で表示されるかを示している。配信品質が高画質と設定された場合、受信端末８には元の画像と同じ高解像度の画像が表示される。一方低画質と設定された場合、受信端末８には元の画像よりも低解像度の画像が表示される。
【００１７】
表示許可期間は、受信端末８においてプロジェクタ６から配信画像データを受信できなくなってから、受信端末８において画像の表示を許可する時間を示している。例えば表示許可期間が１時間の場合、受信端末８は、プロジェクタ６から配信画像データを受信できなくなってから１時間は配信画像データに基づく画像をいつでも表示でき、１時間経過後に配信画像データを削除する。
【００１８】
保存の許可は、受信端末８による配信画像データの保存の可否を示している。再配布制限は、受信端末８から他の装置への配信画像データの配布に関する制限を示している。具体的には、他の装置に対する配布を許可するか否か、配布を許可する回数、配布する際の画質を制限する。
【００１９】
ここで、画像コード生成画面は、認証コード毎に個別に設定情報を入力することが可能となっている。即ち、図４に示すコードＡを選択した状態で設定情報の入力欄及びチェックボックスに入力を行なった後、コードＢを選択することにより、異なる内容で設定情報の入力欄に入力を行なうことができる。例えば２種類の設定情報を含む画像コードを生成する場合、ユーザは、キーボードやマウス等によって、画像コード生成画面におけるコードＡに対応する設定情報の入力欄及びチェックボックスに入力を行ない、次にコードＢを選択してコードＢに対応する設定情報の入力欄及びチェックボックスに入力を行なう。そして、ユーザは画像コード生成ボタンを操作する。
【００２０】
出力装置４は、画像コード生成ボタンが操作されたとき、画像コード生成画面で入力された設定情報を含んだ画像コードを生成する。ここで画像コードには、ＱＲコード（登録商標）等が用いられる。なお、画像コード生成画面で複数の設定情報が設定されている場合でも、生成される画像コードは１つであって生成された画像コードに全ての設定情報が含まれる。出力装置４は、画像コードを生成した後、図５に示すような画像コード３０を貼り付けた画像、即ち画像コードの情報を付加した画像データを生成する。
【００２１】
次にプレゼンテーションの会場で使用されるプロジェクタ６を例に、プロジェクタ６から受信端末８に配信画像データを配信する処理について説明する。図６は実施の形態に係るプロジェクタ６による画像データ配信処理を示すフローチャートである。なお会場では予め聴講者に対して認証コードが通知されているものとする。認証コードは、認証コードを記載したパンフレットを聴講者に郵送し、またはこのパンフレットを来場した聴講者に配付することにより聴講者に通知される。ここでパンフレットには聴講者の権限に応じた認証コードが表示されているものとする。聴講者は、通知された認証コードを受信端末８に入力して受信端末８に記憶させる。なお認証コードの情報を含んだバーコードを記載したパンフレットを聴講者に郵送し、または配付して受信端末８により、バーコードを読み取ることによって、受信端末８に認証コードを記憶させるようにしてもよい。
【００２２】
また聴講者は、受信端末８により配信画像データを受信するためのアプリケーションプログラムを受信端末８に記憶させる。このアプリケーションプログラムが例えばインターネットを介してダウンロードできるものである場合には、認証コードを通知するパンフレットにアプリケーションプログラムをダウンロードするために用いるＵＲＬを表示しておき、聴講者に受信端末８に対するＵＲＬの入力を行なわせ、インターネットを介してアプリケーションプログラムをダウンロードさせてもよい。また聴講者の電子メールアドレス宛に直接ＵＲＬを通知し、聴講者にこのＵＲＬを用いてアプリケーションプログラムをダウンロードさせてもよい。
【００２３】
また、出力装置４はＨＤＭＩケーブル、ＤＶＩケーブル、ＲＧＢケーブル等を介してプロジェクタ６に接続され、画像コードの情報を付加した画像データをプロジェクタ６に対して出力する。これにより、プロジェクタ６は画像コードの情報を付加した画像データを受信し、受信した画像データを画像メモリ１４に記憶する。なお、出力装置４において生成した画像コードの情報を付加した画像データをＵＳＢメモリ等の記憶媒体に記憶させ、ＵＳＢメモリ等をプロジェクタ６に装着することにより、画像コードの情報を付加した画像データを画像メモリ１４に記憶させるようにしてもよい。
【００２４】
プロジェクタ６の制御部１０は、操作部２２を介して画像を投影させる操作が行なわれると、投影順が最初の画像データを画像メモリ１４から読み出す。制御部１０は、読み出した画像データに基づく画像を投影部１８を介して投影する（ステップＳ１）。制御部１０は、投影している画像の画像データに対して画像認識を行なって、画像コードの認識を行なう。そして制御部１０は、画像コードから設定情報を読み取る（ステップＳ２）。
【００２５】
次に制御部１０は、配信画像データにセキュリティ処理を施す（ステップＳ３）。即ち制御部１０は、読み出した画像データに対して圧縮処理を行ない、設定情報の配信品質に応じた画質に対応する解像度の配信画像データを生成する。また制御部１０は読み取った設定情報を配信画像データに付加し、認証コードを用いて配信画像データを暗号化する暗号化処理を行なう。
【００２６】
なお、画像コードに複数の設定情報が含まれている場合、制御部１０は、認証コード毎に生成した各配信画像データにセキュリティ処理を施す。即ち制御部１０は、読み出した画像データに対して設定情報毎の配信品質に基づいた圧縮処理を行ない、配信品質毎の配信画像データを生成する。そして制御部１０は各配信画像データに対応する設定情報を付加し、配信画像データ毎に対応する設定情報の認証コードによって暗号化処理を行なう。
【００２７】
制御部１０は、セキュリティ処理を施した配信画像データをデータメモリ１６に記憶させる（ステップＳ４）。そして制御部１０は、配信部２０を介して会場内の受信端末８に対して、配信画像データを配信する（ステップＳ５）。
【００２８】
受信端末８は、配信画像データを受信すると、記憶している認証コードにより配信画像データの復号化処理を行なう。受信端末８は、復号化した配信画像データに基づく表示画像を生成し、生成した表示画像を表示画面２４に表示する。また受信端末８は、受信した設定情報の内容が保存許可、再配布不可の場合、図３に示すように表示画面２４に、「保存」ボタンを表示させる。なお、設定情報の内容が再配布を許可する場合には、「再配布」ボタンが表示される。受信端末８は、「保存」ボタンに対するボタン操作がタッチパネル２６を介して行なわれたとき、配信画像データを不図示の記憶部に記憶させる保存処理を行なう。また受信端末８は、「再配布」ボタンに対するボタン操作がタッチパネル２６を介して行なわれたとき、配信画像データを他の装置へ配布する配布処理を行なう。
【００２９】
なおプロジェクタ６から認証コード毎に生成された複数の配信画像データが配信された場合、受信端末８は受信した配信画像データの内、記憶している認証コードにより復号化できた配信画像データに基づく表示画像の表示を行ない、復号化できない配信画像データについては削除する。
【００３０】
制御部１０は、操作部２２によって投影画像を切り替える操作がなされたか否かを判断する（ステップＳ６）。制御部１０は、投影画像を切り替える操作がなされたと判断した場合（ステップＳ６、Ｙｅｓ）、画像データの投影順に基づいて、次に投影する画像データを記憶メモリ１４から読み出し（ステップＳ７）、ステップＳ１に戻り、次に投影する画像データを用いた画像の投影や、配信画像データの配信等の処理を行なう（ステップＳ１〜Ｓ５）。
【００３１】
また制御部１０は、投影画像を切り替える操作がなされていないと判断した場合（ステップＳ７、Ｎｏ）、ステップＳ５で画像を配信してから一定時間（例えば、５分）が経過したか否かを判断する（ステップＳ８）。制御部１０は、一定時間が経過していないと判断した場合（ステップＳ８、Ｎｏ）、ステップＳ６に戻り投影画像を切り替える操作がなされたかを判断する。
【００３２】
制御部１０は、一定時間が経過したと判断した場合（ステップＳ８、Ｙｅｓ）、投影部１８を介して投影している画像の配信画像データを再配信する（ステップＳ９）。このとき、最新の配信画像データのみを配信してもよいが、データメモリ１６に記憶されている例えば過去３件分までの配信画像データを配信する等、複数件分の配信画像データを配信してもよい。
【００３３】
図７は聴講者の権限に応じた配信画像データの取り扱い例を示す図である。聴講者の権限に応じて３種類の設定情報を含む画像コードが画像データに付加されている場合を例に、配信画像データの取り扱いの違いについて説明する。
【００３４】
図７（ａ）に示すように、最も権限が大きい聴講者の設定情報は、認証コードａ、配信品質「高画質」、画像の保存「許可」、再配布「無制限で許可」の内容である。２番目に権限が大きい聴講者の設定情報は、認証コードｂ、配信品質「高画質」、画像の保存「画質を低下させて保存を許可」、再配布「２回まで許可」の内容である。最も権限が小さい聴講者の設定情報は、認証コードｃ、配信品質「中画質」、画像の保存「不可」、再配布「不可」の内容である。
【００３５】
この場合、図７（ｂ）に示すようにプロジェクタ６から配信画像データを受信できる受信範囲内においては、認証コードａ及び認証コードｂを有する聴講者の受信端末８には、高画質で画像が表示される。また配信画像データの受信範囲内において認証コードｃを有する聴講者の受信端末８には、低い画質で画像が表示される。
【００３６】
また認証コードａを有する聴講者の受信端末８は、高画質で配信画像データを保存できるため、図７（ｃ）に示すように受信範囲外で高画質の画像を表示することができ、保存した高画質の配信画像データの再配布を行なうことができる。認証コードｂを有する聴講者の受信端末８は、例えば中画質に画質を低下させて配信画像データを保存できるため、受信範囲外では中画質で画像を表示することができる。また保存した中画質の配信画像データの再配布を２回行なうことができる。認証コードｃを有する聴講者の受信端末８では、配信画像データの保存や再配布を行なうことができない。このように聴講者の権限に応じて設定情報を変えて差別化することができる。
【００３７】
この実施の形態によれば、画像毎に貼り付けられた画像コードに基づいてセキュリティ処理を行なった配信画像データを受信端末８に配信することができる。また、設定情報を聴講者の権限に応じて設定することができるので、聴講者毎に異なったセキュリティ処理を行なった配信画像データを生成することができる。また聴講者毎に設定情報を差別化することができるので、悪意を持った聴講者によって配信画像データが外部へ流出してしまうのを防止することができる。また、リアルタイムで投影画像と同様の画像を配信して受信端末８に表示させるので、聴講者は受信端末８の表示画面２４で画像を自由に拡大や縮小を行ないながら聴講することができる。
【００３８】
また、画像コードに設定情報が含まれるため、画像毎に異なる設定情報を定めることができる。また画像データに画像コードの情報が付加されるので、プロジェクタ６側で投影する画像の差し替えが行われた場合でも、プロジェクタ６側で配信画像データの配信に関する設定をし直す必要が無い。
【００３９】
なお、上述の実施の形態においては、図８（ａ）に示すように認証コードによって暗号化した配信画像データや、図８（ｂ）に示すように異なる認証コードでそれぞれ暗号化した配信画像データを受信端末８に対して配信している。しかしこれに限らず図８（ｃ）に示すような暗号化していない配信画像データを配信してもよい。また、図８（ｄ）に示すように、複数の設定情報を含むメタデータと配信画像データ（複数の設定情報のそれぞれに含まれる配信品質の中で最高の配信品質に対応させて圧縮した配信画像データ）を暗号化しプロジェクタ６から受信端末８に対して配信を行なうようにしてもよい。この場合メタデータ及び配信画像データは、受信端末８において、どの認証コードを用いても復号化が可能なように暗号化する。受信端末８においてメタデータ及び配信画像データを受信すると、記憶している認証コードを用いてメタデータ及び配信画像データを復号化し、自己の認証コードに対応する配信品質に基づいて、配信画像データに基づく画像の表示、または配信画像データを圧縮した配信画像データに基づく画像の表示を行う。また、受信端末８は、記憶している認証コードに対応した設定情報に従った処理、例えば、配信画像データの保存、再配布を行なうことができる。このようにすれば、複数の設定情報が存在する場合に、プロジェクタ６は、認証コード毎に配信画像データを生成して各配信画像データを配信するよりも、少ないデータ量で配信画像データを配信することができる。
【００４０】
また、上述の実施の形態においては、プロジェクタ６は、投影している画像を切り替える操作に応じて、配信画像データの配信を行なっているが、投影している画像がアニメーション画像等であって画像の切り換え操作無しに画像の一部に変化が生じる場合等にも、画像に変化が生じたときに配信画像データを生成して受信端末８に対して配信するようにしてもよい。即ち制御部１０により、投影している画像の変化を画像処理により認識し画像の変化を認識したときに投影している画像の配信画像データを生成し、配信を行なうようにしてもよい。また配信画像データの配信を操作者の手動によって行なうようにしてもよい。
【００４１】
また、上述の実施の形態においては、プロジェクタ６は、画像認識により認識した画像コードから設定情報を読み取り、セキュリティ処理を行なった配信画像データを生成している。しかしプロジェクタ６は、画像認識した文字またはマークに基づいてセキュリティ処理を行なった配信画像データを生成してもよい。この場合、例えば画像中に含まれる“秘”等の特定の文字や、紋章等の特定のマーク毎の設定情報をプロジェクタ６の不図示の記憶部に記憶しておく。そしてプロジェクタ６は画像認識によって認識した特定の文字またはマークに基づいて、記憶部から設定情報を読み出して、配信画像データに対してセキュリティ処理を行ない、セキュリティ処理を行なった配信画像データを生成する。なお、プロジェクタ６の記憶部に記憶させる特定の文字やマーク毎の設定情報の内容は、プロジェクタ６の操作者によって任意に変更可能であるものとする。
【００４２】
また、上述の実施の形態においては、画像コードを貼り付けた画像の配信画像データを配信しているが、これに限らず画像コードの無い画像の配信画像データを配信してもよい。この場合プロジェクタ６は、画像処理によって元の画像から画像コードを削除し、画像コードを削除した画像に基づいて配信画像データを生成する。
【００４３】
また、上述の実施の形態においては、画像コードをそのまま画像に貼り付けているが、画像内に画像コードに類似した模様等がある場合、そのまま画像を貼り付けるとプロジェクタ６が画像認識を行なったときに画像コードの内容を誤認識することがある。従ってそのような誤認識を防止するために、出力装置４において画像中に図９に示すような誤認識防止用のパターンを設け、画像コードを誤認識防止用のパターン内に貼り付けるようにしてもよい。
【００４４】
また、上述の実施の形態においては、図５に示すように画像コードが画像の右端に貼り付けられているが、画像コードを貼り付ける位置はどこであってもよい。ユーザが画像コードの内容に応じて貼り付け位置を決めれば、各画像に貼り付けられた画像コードの位置だけで画像コードの内容を把握することができる等、画像コードを貼り付けた後の画像の取り扱いに関する利便性を向上させることができる。
【００４５】
また、上述の実施の形態においては、受信端末８においてプロジェクタ６から配信画像データを受信できなくなってから表示許可期間が経過した後に配信画像データを削除するものとして説明したが、これに限らず受信端末８は、配信画像データを受信したとき、配信画像データに付されている固有装置番号が前回受信した装置固有番号と同一か否かを確認し、同一でない場合には、同一でないことを確認した時点から表示許可期間経過後に前回受信した配信画像データを削除するようにしてもよい。ここで図１０に示すように近接する２つの会場でプレゼンテーションが行なわれていて、聴講者が会場を移動する場合には、受信端末８は、固有装置番号が前回受信した装置固有番号と同一か否かの確認を行い、同一でない場合には、同一でないことを確認した時点から表示許可期間経過後に前回受信した配信画像データを削除する。このようにすれば、聴講者が別の会場に移動した場合に、受信端末８に前の会場で受信した配信画像データを削除させることができる。ここで、固有装置番号の代わりにプロジェクタ６が起動される毎にランダムで生成されるコード等を用いるようにしてもよい。
【００４６】
また、上述の実施の形態におけるプロジェクタ６のデータメモリ１６に記憶される配信画像データは、プロジェクタ６の電源が切れたとき、配信の必要が無くなったとき、データメモリ１６に記憶されてから一定時間（例えば、５時間）が経過したときにデータメモリ１６から自動的に削除されるようにしてもよい。
【００４７】
また、上述の実施の形態において配信品質は、配信画像データに基づく画像が受信端末８においてどのような画質で表示されるかを示すものとしたが、画像の拡大・縮小を制限する内容を加えてもよい。例えば高画質の場合には画像の拡大化及び縮小化を無制限で行なうことができるようにする。また低画質の場合は受信端末８に縮小画像を表示し、表示された画像の拡大化を規制する等の制限を加えてもよい。
【００４８】
また、上述の実施の形態においては、表示装置としてのプロジェクタ６を用いているが、これに限らずプレゼンテーション用の画像を表示する大画面を備える表示装置を用いてもよい。
【符号の説明】
【００４９】
２…配信システム、４…出力装置、６…プロジェクタ、８…受信端末、１０…制御部、１２…接続部、１４…画像メモリ、１６…データメモリ、１８…投影部、２０…配信部、２２…操作部。
【図１】
2013190610.tif 000003
【図２】
2013190610.tif 000004
【図３】
2013190610.tif 000005
【図４】
2013190610.tif 000006
【図５】
2013190610.tif 000007
【図６】
2013190610.tif 000008
【図７】
2013190610.tif 000009
【図８】
2013190610.tif 000010
【図９】
2013190610.tif 000011
【図１０】
2013190610.tif 000012